(57)【要約】【課題】股間部へのフィット性が良く、吸収性に優れた吸収性物品を提供する。【解決手段】表面シート２０と、裏面シート３０と、表面シート２０と裏面シート３０との間に人体の腹側部１１から股間部１３を通って背側部１２にかけて介装される第１吸収体６０とを備える吸収性物品１において、第１吸収体６０には、当該第１吸収体６０の長手方向に沿って、表面シート２０側から裏面シート３０側まで貫通するスリットＳが形成され、スリットＳには、当該スリットＳを埋めるように、第１吸収体６０よりも厚さが薄く且つ第１吸収体６０よりも剛性が低い第２吸収体７０が配設されている。【選択図】図３
2013013430.tif 000002
【特許請求の範囲】
【請求項１】
透液性の表面シートと、裏面シートと、前記表面シートと前記裏面シートとの間に人体の腹側部から股間部を通って背側部にかけて介装される第１吸収体とを備える吸収性物品において、
前記第１吸収体には、当該第１吸収体の長手方向に沿って、前記表面シート側から前記裏面シート側まで貫通するスリットが形成され、
前記スリットには、当該スリットを埋めるように、前記第１吸収体よりも厚さが薄く且つ前記第１吸収体よりも剛性が低い第２吸収体が配設されていることを特徴とする吸収性物品。
【請求項２】
前記第１吸収体及び前記第２吸収体は、透液性の被覆部材により覆われ、
前記被覆部材と前記第１吸収体及び前記第２吸収体との間、前記被覆部材と前記表面シートとの間、及び前記被覆部材と前記裏面シートとの間は、接着されていることを特徴とする請求項１に記載の吸収性物品。
【請求項３】
前記第２吸収体は、前記第１吸収体よりも高吸水性樹脂の含有率が低いことを特徴とする請求項１又は２に記載の吸収性物品。
【請求項４】
前記第２吸収体は、前記第１吸収体よりも液拡散性が高いことを特徴とする請求項１〜３の何れか一項に記載の吸収性物品。
【請求項５】
前記第１吸収体の繊維の配向方向は、当該第１吸収体の幅方向に沿うと共に、
前記第２吸収体の繊維の配向方向は、前記第１吸収体の長手方向に沿うことを特徴とする請求項１〜４の何れか一項に記載の吸収性物品。
【請求項６】
前記第１吸収体は、前記表面シート側に配置された上層吸収体と、前記裏面シート側に配置された下層吸収体とを備え、
前記第２吸収体は、前記下層吸収体と厚さが略同一であることを特徴とする請求項１〜５の何れか一項に記載の吸収性物品。
【発明の詳細な説明】
【技術分野】
【０００１】
本発明は、吸収性物品に関する。
【背景技術】
【０００２】
従来、おむつや、おむつカバー等の外装体の内側に取り付けられて使用される吸収パッドなどの吸収性物品が知られている。
吸収性物品においては、股間部へのフィット性を良好にするべくスリットを設ける技術が知られている。
例えば、特許文献１には、長手方向に沿った一本の貫通条孔（スリット）と、当該貫通条孔を挟んだ一対の条溝とを設けた吸収性パッドが提案されている。
かかる構成によれば、着用時に吸収性パッドが貫通条孔や条溝に沿って変形するため股間部へのフィット性が向上し、且つ体液がスリットを通して拡散されるため吸収スピード及び液拡散性を良好にすることができる。
【先行技術文献】
【特許文献】
【０００３】
【特許文献１】特許第４６８３８９２号公報
【発明の概要】
【発明が解決しようとする課題】
【０００４】
しかしながら、特許文献１は、吸収性パッド（吸収性物品）を貫通するスリットを設けた構成であるため、パルプや高吸水性樹脂を配設する領域が減って股間部の吸収量が低下し、その結果、繰り返し体液を吸収した際に吸収しきれず、漏れが発生する恐れがある。
また、吸収性を確保するために、例えば、貫通していない溝部のみを設けることとすると、吸収性物品が変形しづらく、フィット性が良好でない。
【０００５】
本発明の課題は、股間部へのフィット性が良く、吸収性に優れた吸収性物品を提供することである。
【課題を解決するための手段】
【０００６】
前記課題を解決するために、請求項１に記載の発明は、
透液性の表面シートと、裏面シートと、前記表面シートと前記裏面シートとの間に人体の腹側部から股間部を通って背側部にかけて介装される第１吸収体とを備える吸収性物品において、
前記第１吸収体には、当該第１吸収体の長手方向に沿って、前記表面シート側から前記裏面シート側まで貫通するスリットが形成され、
前記スリットには、当該スリットを埋めるように、前記第１吸収体よりも厚さが薄く且つ前記第１吸収体よりも剛性が低い第２吸収体が配設されていることを特徴とする。
【０００７】
請求項２に記載の発明は、請求項１に記載の吸収性物品において、
前記第１吸収体及び前記第２吸収体は、透液性の被覆部材により覆われ、
前記被覆部材と前記第１吸収体及び前記第２吸収体との間、前記被覆部材と前記表面シートとの間、及び前記被覆部材と前記裏面シートとの間は、接着されていることを特徴とする。
【０００８】
請求項３に記載の発明は、請求項１又は２に記載の吸収性物品において、
前記第２吸収体は、前記第１吸収体よりも高吸水性樹脂の含有率が低いことを特徴とする。
【０００９】
請求項４に記載の発明は、請求項１〜３の何れか一項に記載の吸収性物品において、
前記第２吸収体は、前記第１吸収体よりも液拡散性が高いことを特徴とする。
【００１０】
請求項５に記載の発明は、請求項１〜４の何れか一項に記載の吸収性物品において、
前記第１吸収体の繊維の配向方向は、当該第１吸収体の幅方向に沿うと共に、
前記第２吸収体の繊維の配向方向は、前記第１吸収体の長手方向に沿うことを特徴とする。
【００１１】
請求項６に記載の発明は、請求項１〜５の何れか一項に記載の吸収性物品において、
前記第１吸収体は、前記表面シート側に配置された上層吸収体と、前記裏面シート側に配置された下層吸収体とを備え、
前記第２吸収体は、前記下層吸収体と厚さが略同一であることを特徴とする。
【発明の効果】
【００１２】
本発明によれば、第１吸収体には、当該第１吸収体の長手方向に沿って、表面シート側から裏面シート側まで貫通するスリットが形成され、スリットには、当該スリットを埋めるように、第１吸収体よりも厚さが薄く且つ第１吸収体よりも剛性が低い第２吸収体が配設されている。
このため、吸収性物品の装着時に、第２吸収体が幅方向に圧縮されるので、第１吸収体を股間部に沿って好適にフィットさせることができる。
また、体液の吸収時には、スリットに第２吸収体が配設されていることにより、液拡散性を保持しつつ吸収量を確保することができる。
また、体液の吸収時に、第２吸収体は第１吸収体よりも幅方向に縮みやすく、第１吸収体の股間部へのフィット性を更に向上させることができる。
よって、股間部へのフィット性が良く、吸収性に優れた吸収性物品とすることができる。
【図面の簡単な説明】
【００１３】
【図１】吸収性物品の装着時の状態の一例を示す斜視図である。
【図２】図１の吸収性物品の下側の平面展開図である。
【図３】図１の吸収性物品の上側の平面展開図である。
【図４】図３のＩＶ−ＩＶ線における断面図である。
【図５】図３のＶ−Ｖ線における断面図である。
【図６】第１吸収体及び第２吸収体を示す平面図である。
【図７】第１吸収体と第２吸収体とを組み合わせた状態を示す図である。
【図８】吸収性物品の好ましい製造方法の一つを説明するための図である。
【図９】吸収性物品の好ましい一形態を説明するための図である。
【図１０】吸収性物品の作用を説明するための図である。
【図１１】変形例１の吸収性物品の断面図である。
【図１２】変形例１の吸収性物品における第１吸収体及び第２吸収体を示す平面図である。
【発明を実施するための形態】
【００１４】
以下、図を参照して、本発明の実施の形態を詳細に説明する。ただし、発明の範囲は、図示例に限定されない。
【００１５】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向（幅方向）とする。
また、前後方向をＸ方向、左右方向をＹ方向、上下方向をＺ方向とする。
【００１６】
吸収性物品１は、例えば夜用又は長時間用の尿取りパッドであり、おむつやおむつカバー、パンツなどの人体に装着される外装体（図示省略）に着脱・交換自在に取り付けられて使用される。
【００１７】
図１〜５に示すように、吸収性物品１は、装着時に着用者の股間を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股間に位置する股間部１３を形成する。
腹側部１１及び背側部１２は、左右方向の長さがほぼ等しく、股間部１３よりも長く形成されている。背側部１２は、前後方向の長さが腹側部１１よりも長く形成されており、これにより、背側部１２によって着用者の背側を広く覆うことができるようになっている。
また、股間部１３の両縁部は、腹側部１１から背側部１２に亘って、装着時に着用者の脚周りに位置する二つの脚周り部１４，１４を形成する。脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股間により密着させることができるようになっている。
【００１８】
吸収性物品１は、装着時に着用者との接触面側（上側）に設けられる透液性の表面シート２０と、装着時に着用者との接触面と反対側（下側）に設けられる裏面シート３０と、装着時に着用者との接触面と反対側の外部側に設けられる不織布からなるバックシート４０と、表面シート２０と裏面シート３０との間に介装される第１吸収体６０と、表面シート２０側の第１吸収体６０の幅方向両側縁部（左側縁部及び右側縁部）に、吸収性物品１の長手方向に沿って備えられたギャザーシート５０，５０と、バックシート４０における腹側部１１に設けられ、吸収性物品１を外装体に固定するための固定部材９０と、により主に構成される。
また、表面シート２０側のギャザーシート５０，５０に挟まれる位置には、股間部１３において、吸収性物品１の長手方向に沿う２本の線状の凹部２０Ａ，２０Ａが形成されている。
【００１９】
表面シート２０は、吸収性物品１を装着した際に着用者に接する面を形成し、第１吸収体６０の上側に設けられ、尿などの水様成分を含む体液等を受けて、第１吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２０】
裏面シート３０は、第１吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、必ずしも不透液性のシートでなくても良い。
【００２１】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。
また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２２】
ギャザーシート５０，５０は、表面シート２０側において、第１吸収体６０のＸ方向に沿った両側縁部に、腹側部１１から背側部１２に亘ってそれぞれ備えられている（図３参照）。
このギャザーシート５０，５０の左右方向外側の部分は、第１吸収体６０の側方で表面シート２０及び裏面シート３０の上面に固着されている。また、このギャザーシート５０，５０の左右方向内側の部分は、表面シート２０及び裏面シート３０に固定されておらず、その前後方向に沿って糸ゴム等の立体ギャザー用弾性部材５０１が備えられており、起立して着用者の体型に合わせて伸縮自在に変形可能な一対の立体ギャザーが形成されている。
【００２３】
第１吸収体６０は、その長手方向の長さが、吸収性物品１の長手方向の長さとほぼ等しくなるように、腹側部１１から股間部１３を通り背側部１２に亘る位置に配置され、吸収性物品１の使用時に体液等を吸収する役割を果たすものである。
第１吸収体６０は、吸収性物品１の形状に対応させて、腹側部１１側及び背側部１２側に対して股間部１３側が幅狭となるように内側に凹んで形成されている。
【００２４】
第１吸収体６０は、綿やパルプなどの吸収性素材や、繊維或いはフィルム等のシート状基材に、高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
また、第１吸収体６０は、形状保持等のために、例えば、クレープ紙や透液性の不織布や孔開きシートなどの透液性のシート材によって囲繞することが望ましい。
【００２５】
図６、７に示すように、第１吸収体６０には、股間部１３に対応する位置に、当該第１吸収体６０の長手方向に沿って、第１吸収体６０の上面から下面を貫通する２本の平行線状のスリットＳが設けられている。
各スリットＳには、その縦横の寸法がスリットＳと略同一であって、厚さが第１吸収体６０より薄く（本実施形態では第１吸収体６０の約半分に）形成された第２吸収体７０が、当該スリットＳを埋めるように配設されている。
第２吸収体７０は、吸収性物品１の使用時に体液等を吸収する吸収層、及び体液等を第１吸収体６０に迅速に拡散させる拡散層としての役割を果たしている。
【００２６】
第２吸収体７０は、綿やパルプなどの吸収性素材や、繊維或いはフィルム等のシート状基材に、高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００２７】
なお、第２吸収体７０は、第１吸収体６０のスリットＳに直接積繊させても良いし、クレープ紙などの透液性のシート材によって囲繞した状態で、第１吸収体６０のスリットＳに嵌めこむようにしても良い。
【００２８】
ここで、第２吸収体７０は、当該第２吸収体７０に用いる吸収性素材や高吸水性樹脂の目付を第１吸収体６０より低くすることで、第１吸収体６０よりも剛性が低くなっている。
具体的には、第１吸収体６０は、パルプや高吸水性樹脂を含む目付が４００〜１０００ｇ／ｍ２であり、密度が０．０６〜０．１２ｇ／ｃｍ３である。
一方、第２吸収体７０は、パルプや高吸水性樹脂を含む目付が２００〜４００ｇ／ｍ２であり、密度が０．０３〜０．０８ｇ／ｃｍ３である。
また、第１吸収体６０と第２吸収体７０との目付差は、２００〜６００ｇ／ｍ２であり、第１吸収体６０と第２吸収体７０との密度差は、０．０１〜０．０５ｇ／ｃｍ３である。
このため、装着時に股間部１３に左右方向から圧がかかった際、第２吸収体７０が圧縮され、第１吸収体６０の股間部１３へのフィット性が高まるようになっている。
【００２９】
また、第２吸収体７０の高吸水性樹脂の含有率は、第１吸収体６０の高吸水性樹脂の含有率より低くすることが好ましい。
具体的には、第１吸収体６０の高吸水性樹脂の含有率は、３０〜５０重量％であり、第２吸収体７０の高吸水性樹脂の含有率２０〜４０重量％である。
このようにすることで、スリットＳが第２吸収体７０の高吸水性樹脂の膨潤により密度が上がり縮みづらくなるのを防止することができる。
【００３０】
更に、第２吸収体７０は、第１吸収体６０よりも液拡散性を高くすることが好ましい。
例えば、第２吸収体７０の吸収性素材に液保持性の低い化繊を混合することで、第２吸収体７０の液拡散性を、第１吸収体６０よりも高くすることができる。
このようにすることで、体液を第２吸収体７０で保持せず、第１吸収体６０に拡散しやくすることができるので、第２吸収体７０の高吸水性樹脂が膨潤して左右方向に縮みづらくなるのを防止することができる。なお、このとき、低剛性の第２吸収体７０でもよれにくくすることができ、且つより高い液拡散性を期待できるため、繊維長さが長い方がより好ましい。
なお、第２吸収体７０の液拡散性を調節する手法はこれに限定されるものではなく、例えば、第２吸収体７０の高吸水性樹脂として、第１吸収体６０より通液性の高い高吸水性樹脂を採用することで、第２吸収体７０の液拡散性を、第１吸収体６０よりも高くすることとしても良い。
【００３１】
上記のように組み合わされた第１吸収体６０及び第２吸収体７０は、その全体が透液性の被覆部材８０により覆われている。被覆部材８０としては、例えば、クレープ紙や透液性の不織布や孔開きシートなどが用いられる。
被覆部材８０は、第１吸収体６０、スリットＳ及び第２吸収体７０の形状に沿うようにこれらを被覆している。被覆部材８０と第１吸収体６０及び第２吸収体７０との間は接着されている。
また、被覆部材８０には、当該被覆部材８０の形状に沿うように表面シート２０と裏面シート３０とが接着されており、これにより、表面シート２０側から観てギャザーシート５０，５０に挟まれる位置に、凹部２０Ａ，２０Ａが形成される。
このように、被覆部材８０と第１吸収体６０及び第２吸収体７０との間が接着され、被覆部材８０と表面シート２０との間、及び被覆部材８０と裏面シート３０との間は接着されているため、第２吸収体７０の変形時に、かかる変形に伴って被覆部材８０と、当該被覆部材８０と接着された表面シート２０及び裏面シート３０とが連動して、吸収性物品１が人体にフィットするようになっている。
【００３２】
なお、第１吸収体６０と第２吸収体７０とを組み合わせる際の製造方法として、第１吸収体６０と第２吸収体７０とを被覆部材８０で覆った後に、図８に示すように、被覆部材８０の上から第２吸収体７０よりも狭い幅でプレスを行うことが好ましい。
このようにすることで、被覆部材８０と第２吸収体７０との接着性を向上させることができる。即ち、第２吸収体７０は、第１吸収体６０よりも厚さが薄く、被覆部材８０が密着しにくいため接着性が弱くなる可能性があるが、プレスを行うことで被覆部材８０と第２吸収体７０との密着性を向上させ、これらの接着強度を上げることができる。
また、第２吸収体７０が低剛性であることに起因して、当該第２吸収体７０がよれて、第２吸収体７０の吸収層及び拡散層としての機能が失われるのを防止することができる。また、このとき、プレス幅を第２吸収体７０より狭くすることで、左右方向への縮みやすさを損なうことがない。
なお、第１吸収体６０の一部をプレスしてよれを更に防止することとしても良い。
【００３３】
また、図９に示すように、第１吸収体６０の繊維の配向方向（Ａ）を左右方向に沿うようにし、第２吸収体７０の繊維の配向方向（Ｂ）を長手方向に沿うようにすることも好ましい。
このようにすることで、股間部１３に左右方向から圧力が掛かった場合に、第２吸収体７０がより効果的に圧縮されやすくなり、拡散性も高めることができる。また、第１吸収体６０がよれにくく、股間部１３へのフィット性もより向上させることができる。
【００３４】
固定部材９０は、吸収性物品１を外装体に接着させて固定する役割を果たす、粘着テープであり、剥離紙を剥がすと粘着部分が露出するようになっている。
固定部材９０は、例えば、略矩形状をなしており（図２参照）、吸収性物品１を装着した際に着用者に接する面と反対側の面（バックシート４０の下面）における腹側部１１の中央部に備えられている。
固定部材９０の配置位置は、吸収性物品１のめくれを抑制してズレ難くする等の観点から、腹側部１１のより前側であることが好ましい。また、固定部材９０のサイズは、吸収性物品１を外装体にしっかりと固定させることができる大きさであれば特に限定されない。
なお、固定部材９０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００３５】
次に、吸収性物品１の作用について説明する。
本実施形態の吸収性物品１は、図１０（ａ）に示すように、第１吸収体６０に２本の線状のスリットＳが形成され、このスリットＳに、当該スリットＳを埋めるように第２吸収体７０が配設されている。第２吸収体７０は、第１吸収体６０よりも厚さが薄く且つ第１吸収体６０よりも剛性が低い。これにより、吸収性物品１の表面シート２０側には、第１吸収体６０よりも柔らかい凹部２０Ａ，２０Ａが形成された構成となっている。
この吸収性物品１は、装着時に股間部１３に左右方向から圧が掛かった場合、第２吸収体７０の厚さが第１吸収体６０よりも薄く且つ剛性が第１吸収体６０よりも低いため、図１０（ｂ）に示すように、第２吸収体７０が左右方向から圧縮され、凹部２０Ａ，２０Ａが折り線となって、第１吸収体６０が股間部１３に沿ってフィットする。
また、この状態で体液を吸収した場合、スリットＳに、厚さが第１吸収体６０よりも薄い第２吸収体７０が配設されていることにより、液拡散性を保持しつつ吸収量も確保している。
また、体液の吸収時においては、第２吸収体７０の剛性が第１吸収体６０よりも低いため、図１０（ｃ）に示すように、第２吸収体７０は第１吸収体６０よりも左右方向に縮みやすく、股間部１３へのフィット性が向上する。
また、第２吸収体７０と第１吸収体６０とが別体であることによって、図１０（ｃ）に示すように、第２吸収体７０が上下にも変形可能であるため、表面シート２０側及び裏面シート３０側に折りシワが入り、股間部１３へのフィット性が更に向上する。
【００３６】
また、第２吸収体７０の高吸水性樹脂の含有率を、第１吸収体６０の高吸水性樹脂の含有率よりも低くすることで、第２吸収体７０が縮みづらくなるのが防止される。
また、第２吸収体７０の液拡散性を第１吸収体６０よりも高くすることで、第２吸収体７０が縮みづらくなるのがより効果的に防止される。
また、上記のように第２吸収体７０が変形する場合、第１吸収体６０と第２吸収体７０とは被覆部材８０で覆われ、被覆部材８０は表面シート２０及び裏面シート３０と接着されているため、第２吸収体７０の変形に伴って吸収性物品１全体が人体に好適にフィットする。
【００３７】
以上のように、本実施形態によれば、透液性の表面シート２０と、裏面シート３０と、表面シート２０と裏面シート３０との間に人体の腹側部１１から股間部１３を通って背側部１２にかけて介装される第１吸収体６０とを備える吸収性物品１において、第１吸収体６０には、当該第１吸収体６０の長手方向に沿って、表面シート２０側から裏面シート３０側まで貫通するスリットＳが形成され、スリットＳには、当該スリットＳを埋めるように、第１吸収体６０よりも厚さが薄く且つ第１吸収体６０よりも剛性が低い第２吸収体７０が配設されている。
このため、吸収性物品１の装着時に、第２吸収体７０が左右方向に圧縮されるので、第１吸収体６０を股間部１３に沿って好適にフィットさせることができる。
また、体液を吸収時には、スリットＳに第２吸収体７０が配設されていることにより、液拡散性を保持しつつ吸収量を確保することができる。
また、体液を吸収時に、第２吸収体７０は第１吸収体６０よりも左右方向に縮みやすく、第１吸収体６０の股間部１３へのフィット性を更に向上させることができる。
よって、股間部１３へのフィット性が良く、吸収性に優れた吸収性物品とすることができる。
【００３８】
また、本実施形態によれば、第１吸収体６０及び第２吸収体７０は、透液性の被覆部材８０により覆われ、被覆部材８０と第１吸収体６０及び第２吸収体７０との間、被覆部材８０と表面シート２０との間、及び被覆部材８０と裏面シート３０との間が接着されている。
このため、第２吸収体７０の変形時に、かかる変形に伴って被覆部材８０と、当該被覆部材８０と接着された表面シート２０及び裏面シート３０とが連動して、吸収性物品１が人体にフィットするようにすることができる。
【００３９】
また、本実施形態によれば、第２吸収体７０は、第１吸収体６０よりも高吸水性樹脂の含有率が低い。
このため、スリットＳが第２吸収体７０の高吸水性樹脂の膨潤により密度が上がり、左右方向に縮みづらくなるのを防止することができる。
【００４０】
また、本実施形態によれば、第２吸収体７０は、第１吸収体６０よりも液拡散性が高い。
このため、体液を第２吸収体７０で保持せず、拡散しやくすることができるので、スリットＳが第２吸収体７０の高吸水性樹脂の膨潤により密度が上がり、左右方向に縮みづらくなるのを防止することができる。
【００４１】
また、本実施形態によれば、第１吸収体６０の繊維の配向方向（Ａ）は、当該第１吸収体６０の幅方向に沿うと共に、第２吸収体７０の繊維の配向方向（Ｂ）は、第１吸収体６０の長手方向に沿っている。
このため、股間部１３に圧力が掛かった場合に、第２吸収体７０がより効果的に圧縮されやすくなり、拡散性を高めることができる。また、第１吸収体６０がよれにくく、股間部１３へのフィット性をより向上させることができる。
【００４２】
＜変形例１＞
変形例１の吸収性物品１Ａは、図１１、１２に示すように、第１吸収体６０Ａが、表面シート２０側に配置された上層吸収体６１と、裏面シート３０側に配置された下層吸収体６２とを備えて構成されている。
上層吸収体６１と下層吸収体６２とは、別体として形成されている。
なお、上層吸収体６１と下層吸収体６２とは同一の構成としても良いが、吸収スピードを上げるため、上層吸収体６１の透液性を、下層吸収体６２よりも高くすることが好ましい。これは、例えば、上層吸収体６１に用いる高吸水性樹脂として、下層吸収体６２より通液性の高い高吸水性樹脂を採用することで実現できる。
また、第２吸収体７０は、下層吸収体６２と厚さが略同一に形成されている。
【００４３】
上記第１吸収体６０Ａを備えた吸収性物品１Ａは、例えば、以下の手順により形成することができる。
先ず、スリットＳの設けられた下層吸収体６２を形成した後、このスリットＳに第２吸収体７０を配設する。
その後、スリットＳの設けられた上層吸収体６１を、下層吸収体６２にスリット位置が合うように重ね、被覆部材８０で包む。
【００４４】
従って、かかる変形例１によれば、第２吸収体７０をスリットＳに配設する際に、下層吸収体６２のスリットＳと同じ高さに第２吸収体７０を積繊すればよく、第２吸収体７０の積繊量が把握しやすいため製造が容易となる。
また、このため第２吸収体７０と第１吸収体６０との高低差をつけやすく、所望の液拡散性を実現しやすくなる。
【００４５】
なお、本発明は、上記した実施の形態のものに限るものではなく、その要旨を逸脱しない範囲で適宜変更可能である。
例えば、上記実施形態及び変形例１においては、２本のスリットＳを備える構成を例示して説明しているが、スリットＳの数はこれに限定されない。また、スリットＳの長さ及び幅も適宜設定することが可能である。
また、上記実施形態及び変形例１においては、吸収性物品として尿取りパッドを例示して説明しているが、吸収性物品は、例えば紙おむつ等であっても良い。
【符号の説明】
【００４６】
１、１Ａ  吸収性物品
１１  腹側部
１２  背側部
１３  股間部
１４，１４  脚周り部
１４１  平面ギャザー用弾性部材
２０  表面シート
２０Ａ，２０Ａ  凹部
３０  裏面シート
４０  バックシート
５０，５０  ギャザーシート
５０１  立体ギャザー用弾性部材
６０、６０Ａ  第１吸収体
６１  上層吸収体
６２  下層吸収体
７０  第２吸収体
８０  被覆部材
９０  固定部材
Ｓ  スリット
【図１】
2013013430.tif 000003
【図２】
2013013430.tif 000004
【図３】
2013013430.tif 000005
【図４】
2013013430.tif 000006
【図５】
2013013430.tif 000007
【図６】
2013013430.tif 000008
【図７】
2013013430.tif 000009
【図８】
2013013430.tif 000010
【図９】
2013013430.tif 000011
【図１０】
2013013430.tif 000012
【図１１】
2013013430.tif 000013
【図１２】
2013013430.tif 000014